(57)【要約】【課題】信号から電磁界ノイズを、簡単に低減できるようにする。【解決手段】Ａ／Ｄ変換部３３は、入力されたアナログ映像信号Ａを、同期分離部３５からのＨ同期信号Ａ、Ｖ同期信号ＡおよびクロックＡにより、ディジタル映像信号Ａに変換し、信号重畳部１６に出力する。Ａ／Ｄ変換部３４は、無信号状態で入力されたアナログ映像信号Ｂを、同期分離部３５からのＨ同期信号Ａ、Ｖ同期信号ＡおよびクロックＡにより、無信号状態のディジタル映像信号ＢＮに変換し、信号重畳部１６に出力する。信号重畳部１６は、ＣＰＵ１１の制御のもと、ディジタル映像信号Ａから、所定の係数が乗算された無信号状態のディジタル映像信号ＢＮを減算する。本発明は、テレビジョン受像機に適用することができる。【選択図】　　　図１
2004015360.tif 000002
【特許請求の範囲】
【請求項１】
複数のアナログ信号を処理する信号処理装置において、
前記アナログ信号のうちの第１のアナログ信号を第１のディジタル信号に変換する第１のＡ／Ｄ変換手段と、
前記アナログ信号のうちの第２のアナログ信号を第２のディジタル信号に変換する第２のＡ／Ｄ変換手段と、
前記第１のＡ／Ｄ変換手段により変換された前記第１のディジタル信号から、前記第２のＡ／Ｄ変換手段の入力を無信号状態としたときの、前記第２のＡ／Ｄ変換手段の前記第２のディジタル信号を減算する減算手段と
を備えることを特徴とする信号処理装置。
【請求項２】
前記第１のＡ／Ｄ変換手段と前記第２のＡ／Ｄ変換手段は、近接して配置されている
ことを特徴とする請求項１に記載の信号処理装置。
【請求項３】
前記減算手段は、前記第１のディジタル信号から、前記第２のＡ／Ｄ変換手段の入力が無信号状態であるときの前記第２のディジタル信号に所定の係数を乗じた値を減算する
ことを特徴とする請求項１に記載の信号処理装置。
【請求項４】
ユーザの操作に基づいて、前記第２のＡ／Ｄ変換手段の入力を無信号状態にするか否かを判断する判断手段と、
前記判断手段により前記第２のＡ／Ｄ変換手段の入力を無信号状態にすると判断された場合、前記第１のアナログ信号から同期信号を取得する取得手段と
をさらに備え、
前記第１のＡ／Ｄ変換手段と前記第２のＡ／Ｄ変換手段は、前記取得手段により取得された前記同期信号に基づいて、変換する動作を行う
ことを特徴とする請求項１に記載の信号処理装置。
【請求項５】
複数のアナログ信号を処理する信号処理装置の信号処理方法において、
前記アナログ信号のうちの第１のアナログ信号を第１のディジタル信号に変換する第１のＡ／Ｄ変換ステップと、
前記アナログ信号のうちの第２のアナログ信号を第２のディジタル信号に変換する第２のＡ／Ｄ変換ステップと、
前記第１のＡ／Ｄ変換ステップの処理により変換された前記第１のディジタル信号から、前記第２のＡ／Ｄ変換ステップの処理の入力を無信号状態としたときの、前記第２のＡ／Ｄ変換ステップの処理の前記第２のディジタル信号を減算する減算ステップと
を含むことを特徴とする信号処理方法。
【請求項６】
複数のアナログ信号を処理する信号処理装置用のプログラムであって、
前記アナログ信号のうちの第１のアナログ信号を第１のディジタル信号に変換する第１のＡ／Ｄ変換ステップと、
前記アナログ信号のうちの第２のアナログ信号を第２のディジタル信号に変換する第２のＡ／Ｄ変換ステップと、
前記第１のＡ／Ｄ変換ステップの処理により変換された前記第１のディジタル信号から、前記第２のＡ／Ｄ変換ステップの処理の入力を無信号状態としたときの、前記第２のＡ／Ｄ変換ステップの処理の前記第２のディジタル信号を減算する減算ステップと
を含むことを特徴とするコンピュータが読み取り可能なプログラムが記録されている記録媒体。
【請求項７】
複数のアナログ信号を処理する信号処理装置のコンピュータに、
前記アナログ信号のうちの第１のアナログ信号を第１のディジタル信号に変換する第１のＡ／Ｄ変換ステップと、
前記アナログ信号のうちの第２のアナログ信号を第２のディジタル信号に変換する第２のＡ／Ｄ変換ステップと、
前記第１のＡ／Ｄ変換ステップの処理により変換された前記第１のディジタル信号から、前記第２のＡ／Ｄ変換ステップの処理の入力を無信号状態としたときの、前記第２のＡ／Ｄ変換ステップの処理の前記第２のディジタル信号を減算する減算ステップと
を実行させることを特徴とするプログラム。
【発明の詳細な説明】
【０００１】
【発明の属する技術分野】
本発明は、信号処理装置および方法、記録媒体、並びにプログラムに関し、特に、信号から電磁界ノイズを低減できるようにする信号処理装置および方法、記録媒体、並びにプログラムに関する。
【０００２】
【従来の技術】
近年、テレビ受像機においては、内部チューナで受信した２系統の映像信号を、デコード、復調、およびベースバンドのアナログ映像信号に復号し、それらを、それぞれディジタル信号に変換、重畳処理することにより、２画面表示または重畳表示できるものがある。
【０００３】
このようなテレビ受像機において、ユーザの指示により１画面のみを表示する場合には、この２系統の映像信号のうち、一方の映像信号のみを表示し、もう一方の表示されない映像信号を無信号状態で入力したり、非表示状態にしたり、もしくは、消費電力低減のため、停止するようにしていた。
【０００４】
一方、従来のテレビ受像機において、映像信号における外界からの電磁界ノイズに対応するためのノイズリダクションとして、静止画像の場合、映像信号の前後のフレームの差を求めることで、時間的な積算効果により空間的なノイズを減らすようにしていた。
【０００５】
【発明が解決しようとする課題】
しかしながら、このような電磁界ノイズのノイズリダクションにおいては、処理が複雑であるという課題があった。
【０００６】
さらに、上記ノイズリダクションは、静止画像にしか適用されず、動画像の場合、ローパスフィルタをかける方法しかなかったため、映像信号の電磁界ノイズを減らすことが困難であるという課題があった。
【０００７】
本発明はこのような状況に鑑みてなされたものであり、信号から電磁界ノイズを、簡単に低減できるようにするものである。
【０００８】
【課題を解決するための手段】
本発明の信号処理装置は、アナログ信号のうちの第１のアナログ信号を第１のディジタル信号に変換する第１のＡ／Ｄ変換手段と、アナログ信号のうちの第２のアナログ信号を第２のディジタル信号に変換する第２のＡ／Ｄ変換手段と、第１のＡ／Ｄ変換手段により変換された第１のディジタル信号から、第２のＡ／Ｄ変換手段の入力を無信号状態としたときの、第２のＡ／Ｄ変換手段の第２のディジタル信号を減算する減算手段とを備えることを特徴とする。
【０００９】
第１のＡ／Ｄ変換手段と第２のＡ／Ｄ変換手段は、近接して配置されているようにすることができる。
【００１０】
減算手段は、第１のディジタル信号から、第２のＡ／Ｄ変換手段の入力が無信号状態であるときの第２のディジタル信号に所定の係数を乗じた値を減算するようにすることができる。
【００１１】
ユーザの操作に基づいて、第２のＡ／Ｄ変換手段の入力を無信号状態にするか否かを判断する判断手段と、判断手段により第２のＡ／Ｄ変換手段の入力を無信号状態にすると判断された場合、第１のアナログ信号から同期信号を取得する取得手段とをさらに備え、第１のＡ／Ｄ変換手段と第２のＡ／Ｄ変換手段は、取得手段により取得された同期信号に基づいて、変換する動作を行うようにすることができる。
【００１２】
本発明の信号処理方法は、アナログ信号のうちの第１のアナログ信号を第１のディジタル信号に変換する第１のＡ／Ｄ変換ステップと、アナログ信号のうちの第２のアナログ信号を第２のディジタル信号に変換する第２のＡ／Ｄ変換ステップと、第１のＡ／Ｄ変換ステップの処理により変換された第１のディジタル信号から、第２のＡ／Ｄ変換ステップの処理の入力を無信号状態としたときの、第２のＡ／Ｄ変換ステップの処理の第２のディジタル信号を減算する減算ステップとを含むようにすることができる。
【００１３】
本発明の記録媒体のプログラムは、アナログ信号のうちの第１のアナログ信号を第１のディジタル信号に変換する第１のＡ／Ｄ変換ステップと、アナログ信号のうちの第２のアナログ信号を第２のディジタル信号に変換する第２のＡ／Ｄ変換ステップと、第１のＡ／Ｄ変換ステップの処理により変換された第１のディジタル信号から、第２のＡ／Ｄ変換ステップの処理の入力を無信号状態としたときの、第２のＡ／Ｄ変換ステップの処理の第２のディジタル信号を減算する減算ステップとを含むことを特徴とする。
【００１４】
本発明のプログラムは、アナログ信号のうちの第１のアナログ信号を第１のディジタル信号に変換する第１のＡ／Ｄ変換ステップと、アナログ信号のうちの第２のアナログ信号を第２のディジタル信号に変換する第２のＡ／Ｄ変換ステップと、第１のＡ／Ｄ変換ステップの処理により変換された第１のディジタル信号から、第２のＡ／Ｄ変換ステップの処理の入力を無信号状態としたときの、第２のＡ／Ｄ変換ステップの処理の第２のディジタル信号を減算する減算ステップとを実行させることを特徴とする。
【００１５】
本発明の信号処理装置および方法、記録媒体、並びにプログラムにおいては、アナログ信号のうちの第１のアナログ信号が第１のディジタル信号に変換され、アナログ信号のうちの第２のアナログ信号が第２のディジタル信号に変換される。そして、第１のディジタル信号から、入力を無信号状態としたときの第２のディジタル信号が減算される。
【００１６】
信号処理装置は、独立した装置であってもよいし、映像信号受信装置の信号処理処理を行うブロックであってもよい。
【００１７】
【発明の実施の形態】
以下、図を参照して本発明の実施の形態について説明する。
【００１８】
図１は、本発明を適用したテレビジョン受像機１の構成例を示している。
【００１９】
図１においては、ＣＰＵ（Ｃｅｎｔｒａｌ　Ｐｒｏｃｅｓｓｉｎｇ　Ｕｎｉｔ）１１は、ＲＯＭ（Ｒｅａｄ　Ｏｎｌｙ　Ｍｅｍｏｒｙ）１２に記憶されているプログラム、または、ＲＡＭ（Ｒａｎｄｏｍ　Ａｃｃｅｓｓ　Ｍｅｍｏｒｙ）１３にロードされたプログラムに従って各種の処理を実行する。ＲＡＭ１３にはまた、ＣＰＵ１１が各種の処理を実行する上において必要なデータなどが適宜記憶される。
【００２０】
ＣＰＵ１１、ＲＯＭ１２、およびＲＡＭ１３は、バス１４を介して相互に接続されている。このバス１４にはまた、入力部１５および信号重畳部１６も接続されている。
【００２１】
入力部１５は、各種のスイッチ、ボタン、リモートコントローラ（以下、リモコンと称する）などで構成され、ユーザの操作に対応した信号を出力する。例えば、ユーザが１画面表示、２画面表示または重畳表示などの画面表示方法を変更するために、入力部１５を構成するリモコンなどを操作すると、その指示信号が入力部１５よりＣＰＵ１１に出力される。これに対応して、ＣＰＵ１１は、各スイッチまたは各部を制御する。
【００２２】
信号重畳部１６は、Ａ／Ｄ変換部３３および３４によりディジタル化された２系統の映像信号を入力し、ＣＰＵ１１の制御のもと、それらの映像信号を重ね合わせ、２画面表示または重畳表示の映像信号に合成する。
【００２３】
このテレビジョン受像機１は、２つの入力端子２１および２２を有する。入力端子２１および２２は、テレビジョン受像機１に内蔵されたチューナ（図示せず）により受信された後、復調され、復号されたベースバンドのアナログ映像信号、または、外部入力端子（図示せず）により入力されたベースバンドのアナログ映像信号を入力する。なお、以下、入力端子２１により入力されるアナログ映像信号をアナログ映像信号Ａと称し、入力端子２２により入力されるアナログ映像信号をアナログ映像信号Ｂと称する。
【００２４】
入力端子２１は、アナログ映像信号Ａを、スイッチ３１を介してＡ／Ｄ（Ａｎａｌｏｇ　／　Ｄｉｇｉｔａｌ）変換部３３に供給したり、同期分離部３５に供給する。入力端子２２は、アナログ映像信号Ｂを、スイッチ３２を介してＡ／Ｄ変換部３４に供給したり、同期分離部３６に供給する。
【００２５】
スイッチ３１は、ＣＰＵ１１からの制御に応じて、ＯＮ／ＯＦＦを切り換える。スイッチ３１は、ＯＮのとき、入力端子２１からのアナログ映像信号ＡをＡ／Ｄ変換部３３に入力し、ＯＦＦのとき、入力端子２１からのアナログ映像信号Ａを無信号状態で、Ａ／Ｄ変換部３３に入力する。
【００２６】
同様に、スイッチ３２は、ＣＰＵ１１からの制御に応じて、ＯＮ／ＯＦＦを切り換える。スイッチ３２は、ＯＮのとき、入力端子２２からのアナログ映像信号ＢをＡ／Ｄ変換部３４に入力し、ＯＦＦのとき、入力端子２２からのアナログ映像信号Ｂを無信号状態で、Ａ／Ｄ変換部３４に入力する。
【００２７】
Ａ／Ｄ変換部３３は、スイッチ３１を介して入力されたアナログ映像信号Ａを、スイッチ３７から供給されるＨ（Ｈｏｒｉｚｏｎｔａｌ）同期信号、Ｖ（Ｖｅｒｔｉｃａｌ）同期信号およびクロックに応じて、ディジタル映像信号に変換する。Ａ／Ｄ変換部３４は、スイッチ３２を介して入力されたアナログ映像信号Ｂを、スイッチ３８から供給されるＨ同期信号、Ｖ同期信号およびクロックに応じて、ディジタル映像信号に変換する。
【００２８】
なお、Ａ／Ｄ変換部３３および３４は、同一のプリント基板上に互いに近接した場所に設置され、外界からの電磁界ノイズが信号レベルおよび信号位相とも十分な相関を持って入力される。したがって、Ａ／Ｄ変換部３３により変換されたディジタル映像信号とＡ／Ｄ変換部３４により変換されたディジタル映像信号には、同じ電磁界ノイズ成分が付加される。
【００２９】
同期分離部３５は、入力端子２１より供給されたアナログ映像信号Ａから、Ｈ同期信号ＡとＶ同期信号Ａを分離し、分離されたＨ同期信号ＡとＶ同期信号Ａに基づいて、クロックＡを生成する。また、同期分離部３５は、Ｈ同期信号Ａ、Ｖ同期信号ＡおよびクロックＡを、スイッチ３７を介して、Ａ／Ｄ変換部３３に出力したり、スイッチ３８を介して、Ａ／Ｄ変換部３４に出力する。
【００３０】
同期分離部３６は、供給されたアナログ映像信号Ｂから、Ｈ同期信号ＢとＶ同期信号Ｂを分離し、分離されたＨ同期信号ＢとＶ同期信号Ｂに基づいて、クロックＢを生成する。また、同期分離部３６は、Ｈ同期信号Ｂ、Ｖ同期信号ＢおよびクロックＢを、スイッチ３７を介して、Ａ／Ｄ変換部３３に出力したり、スイッチ３８を介して、Ａ／Ｄ変換部３４に出力する。
【００３１】
スイッチ３７は、ＣＰＵ１１からの制御に応じて、スイッチ端子３７ａまたは３７ｂを選択する。スイッチ３７は、スイッチ端子３７ａが選択された場合、同期分離部３５からのＨ同期信号Ａ、Ｖ同期信号ＡおよびクロックＡをＡ／Ｄ変換部３３に出力し、スイッチ端子３７ｂが選択された場合、同期分離部３６からのＨ同期信号Ｂ、Ｖ同期信号ＢおよびクロックＢをＡ／Ｄ変換部３３に出力する。
【００３２】
スイッチ３８は、ＣＰＵ１１からの制御に応じて、スイッチ端子３８ａまたは３８ｂを選択する。スイッチ３８は、スイッチ端子３８ａが選択された場合、同期分離部３５からのＨ同期信号Ａ、Ｖ同期信号ＡおよびクロックＡをＡ／Ｄ変換部３４に出力し、スイッチ端子３８ｂが選択された場合、同期分離部３６からのＨ同期信号Ｂ、Ｖ同期信号ＢおよびクロックＢをＡ／Ｄ変換部３４に出力する。
【００３３】
信号重畳部１６は、Ａ／Ｄ変換部３３とＡ／Ｄ変換部３４よりディジタル映像信号を入力し、ＣＰＵ１１の制御に応じて、１画面表示、２画面表示または重畳表示するためのディジタル映像信号の処理を実行する。なお、この場合、２画面表示とは、ディジタル映像信号により表される２つの画面を並列したり、重ねて表示する表示方法のことであり、重畳表示とは、ディジタル映像信号により表される２つの画面の透過度を変え、重ね合わせて（ブレンディングさせて）表示する表示方法を示す。
【００３４】
信号重畳部１６は、２画面表示または重畳表示する場合、２つのディジタル映像信号を一旦、メモリ３９に記憶し、メモリ３９上で、ＣＰＵ１１からの画面設定情報に基づいて、２つのディジタル映像信号を合成し、２画面表示のディジタル映像信号、または、重畳表示のディジタル映像信号として出力端子４１に出力する。この画面設定情報は、ユーザにより入力部１５を介して入力される２画面表示または重畳表示の設定情報であり、例えば、各画面が表示される位置、サイズ、あるいは、表示画面を構成するディジタル映像信号の透過度を表すブレンド量などの情報により構成される。
【００３５】
また、信号処理部１６は、一画面表示する場合、ＣＰＵ１１からの制御に基づいて、表示される（使用される）ディジタル映像信号から、無信号状態で入力された表示されない（未使用の）ディジタル映像信号を減算し、減算されたディジタル映像信号を出力端子４１に出力する。
【００３６】
出力端子４１は、信号重畳部１６により処理されたディジタル映像信号を、Ｄ／Ａ（Ｄｉｇｉｔａｌ　／　Ａｎａｌｏｇ）変換部（図示せず）によりアナログ映像信号にして、ＣＲＴ（Ｃａｔｈｏｄｅ　Ｒａｙ　Ｔｕｂｅ）に出力したり、あるいは、ディジタル映像信号のまま、ＬＣＤ（Ｌｉｑｕｉｄ　Ｃｒｙｓｔａｌ　Ｄｉｓｐｌａｙ）に出力する。
【００３７】
次に、図２のフローチャートを参照して、テレビジョン受像機１の映像信号処理について説明する。
【００３８】
ユーザは、１画面表示、２画面表示または重畳表示などの画面表示方法を変更するために、入力部１５を構成するリモコンなどを操作して、画面表示方法を指示する。これに対応して、ステップＳ１において、ＣＰＵ１１は、１画面表示が指示されたか否かを判断する。
【００３９】
また、ユーザは、１画面表示を指示した場合、入力端子２１または２２から入力される２系統のアナログ映像信号ＡまたはＢのうち、どちらのアナログ映像信号を画面に表示するかを選択し、入力部１５を構成するリモコンなどを操作して指示する。これに対応して、入力部１５は、その指示信号をＣＰＵ１１に出力する。ステップＳ１において、１画面表示が指示されたと判断された場合、ステップＳ２において、ＣＰＵ１１は、入力部１５からの指示信号に基づいて、入力端子２１から入力されるアナログ映像信号Ａの表示が選択されたか否かを判断する。
【００４０】
ステップＳ２において、アナログ映像信号Ａの表示が選択されたと判断された場合、ステップＳ３において、ＣＰＵ１１は、テレビジョン受像機１の各部を制御し、アナログ映像信号Ａの信号処理を実行する。このアナログ映像信号Ａの信号処理を、図３のフローチャートを参照して説明する。
【００４１】
ステップＳ２１において、ＣＰＵ１１は、スイッチ３１をＯＮにし、スイッチ３２をＯＦＦにするように制御する。これにより、入力端子２１からのアナログ映像信号Ａが、スイッチ３１を介してＡ／Ｄ変換部３３に入力され、入力端子２２からのアナログ映像信号が、無信号状態で、スイッチ３２を介してＡ／Ｄ変換部３４に入力される。
【００４２】
ステップＳ２２において、ＣＰＵ１１は、スイッチ３７がスイッチ端子３７ａを選択し、スイッチ３８がスイッチ端子３８ａを選択するように制御する。これにより、同期分離部３５からＨ同期信号Ａ、Ｖ同期信号ＡおよびクロックＡがＡ／Ｄ変換部３３およびＡ／Ｄ変換部３４に入力される。
【００４３】
ステップＳ２３において、Ａ／Ｄ変換部３３は、入力されたアナログ映像信号Ａを、同期分離部３５から供給されるＨ同期信号Ａ、Ｖ同期信号ＡおよびクロックＡにより、ディジタル映像信号Ａに変換し、そのディジタル映像信号Ａを信号重畳部１６に出力する。
【００４４】
ステップＳ２４において、Ａ／Ｄ変換部３４は、無信号入力状態で入力されたアナログ映像信号Ｂを、同期分離部３５から供給されるＨ同期信号Ａ、Ｖ同期信号ＡおよびクロックＡにより、無信号状態のディジタル映像信号ＢＮに変換し、そのディジタル映像信号ＢＮを信号重畳部１６に出力する。
【００４５】
ステップＳ２５において、信号重畳部１６は、ＣＰＵ１１の制御のもと、クロックＡに基づいて、Ａ／Ｄ変換部３３により変換されたディジタル映像信号Ａから、Ａ／Ｄ変換部３４により変換され、所定の係数が乗算されたディジタル映像信号ＢＮを減算する。
【００４６】
この所定の係数は、０乃至１の値であり、例えば、無信号状態でＡ／Ｄ変換部３３に入力されたアナログ映像信号Ａを、Ａ／Ｄ変換部３３によりディジタル映像信号ＡＮに変換し、また同様に、無信号状態でＡ／Ｄ変換部３４に入力されたアナログ映像信号Ｂを、Ａ／Ｄ変換部３４によりディジタル映像信号ＢＮに変換し、その２つの無信号状態のディジタル映像信号を比較し、出力レベルを合わせることにより求められる。
【００４７】
図１を参照して上述したように、Ａ／Ｄ変換部３３および３４は、プリント基板上に互いに近接した場所に設置され、Ａ／Ｄ変換部３３により変換されたディジタル映像信号ＡとＡ／Ｄ変換部３４により変換された無信号入力状態のディジタル映像信号ＢＮには、同じ電磁界ノイズが付加されているので、以上のようにして、出力レベルを合わせ、減算することにより、ディジタル映像信号Ａに付加されている電磁界ノイズ成分が低減される。
【００４８】
次に、図２のステップＳ２において、アナログ映像信号Ｂの表示が選択された（アナログ映像信号Ａの表示が選択されなかった）と判断された場合、ステップＳ４において、ＣＰＵ１１は、テレビジョン受像機１の各部を制御し、アナログ映像信号Ｂの信号処理を実行する。このアナログ映像信号Ｂの信号処理を、図４のフローチャートを参照して説明する。なお、このアナログ映像信号Ｂの信号処理は、上述したアナログ映像信号Ａの信号処理と基本的に同様な処理であるため、繰り返しになるので、その説明は適宜省略する。
【００４９】
ステップＳ４１において、ＣＰＵ１１は、スイッチ３１をＯＦＦにし、スイッチ３２をＯＮにするように制御する。これにより、入力端子２１からのアナログ映像信号Ａが、無信号状態で、スイッチ３１を介してＡ／Ｄ変換部３３に入力され、入力端子２２からのアナログ映像信号Ｂが、スイッチ３２を介してＡ／Ｄ変換部３４に入力される。
【００５０】
ステップＳ４２において、ＣＰＵ１１は、スイッチ３７がスイッチ端子３７ｂを選択し、スイッチ３８がスイッチ端子３８ｂを選択するように制御する。これにより、同期分離部３６からのＨ同期信号Ｂ、Ｖ同期信号ＢおよびクロックＢがＡ／Ｄ変換部３３およびＡ／Ｄ変換部３４に入力される。
【００５１】
ステップＳ４３において、Ａ／Ｄ変換部３３は、無信号状態で入力されたアナログ映像信号Ａを、同期分離部３６から供給されるＨ同期信号Ｂ、Ｖ同期信号ＢおよびクロックＢにより、無信号状態のディジタル映像信号ＡＮに変換し、そのディジタル映像信号ＡＮを信号重畳部１６に出力する。
【００５２】
ステップＳ４４において、Ａ／Ｄ変換部３４は、入力されたアナログ映像信号Ｂを、同期分離部３６から供給されるＨ同期信号Ｂ、Ｖ同期信号ＢおよびクロックＢにより、ディジタル映像信号Ｂに変換し、そのディジタル映像信号Ｂを信号重畳部１６に出力する。
【００５３】
ステップＳ４５において、信号重畳部１６は、ＣＰＵ１１の制御のもと、クロックＢに基づいて、Ａ／Ｄ変換部３４により変換されたディジタル映像信号Ｂから、Ａ／Ｄ変換部３３により変換され、所定の係数が乗算されたディジタル映像信号ＡＮを減算する。
【００５４】
以上のようにして、出力レベルを合わせ、減算することにより、ディジタル映像信号Ｂに付加されている電磁界ノイズ成分が低減される。
【００５５】
一方、図２のステップＳ１において、２画面表示または重畳表示が指示された（１画面表示が指示されなかった）と判断された場合、ＣＰＵ１１は、テレビジョン受像機１の各部を制御し、２画面表示または重畳表示の信号処理を実行する。この２画面表示または重畳表示の信号処理を、図５のフローチャートを参照して説明する。
【００５６】
ステップＳ６１において、ＣＰＵ１１は、スイッチ３１をＯＮにし、スイッチ３２をＯＮにするように制御する。これにより、入力端子２１からのアナログ映像信号Ａが、スイッチ３１を介してＡ／Ｄ変換部３３に入力され、入力端子２２からのアナログ映像信号Ｂが、スイッチ３２を介してＡ／Ｄ変換部３４に入力される。
【００５７】
ステップＳ６２において、ＣＰＵ１１は、スイッチ３７がスイッチ端子３７ａを選択し、スイッチ３８がスイッチ端子３８ｂを選択するように制御する。これにより、同期分離部３５からのＨ同期信号Ａ、Ｖ同期信号ＡおよびクロックＡがＡ／Ｄ変換部３３に入力され、同期分離部３６から供給されるＨ同期信号Ｂ、Ｖ同期信号ＢおよびクロックＢがＡ／Ｄ変換部３４に入力される。
【００５８】
ステップＳ６３において、Ａ／Ｄ変換部３３は、入力されたアナログ映像信号Ａを、同期分離部３５から供給されるＨ同期信号Ａ、Ｖ同期信号ＡおよびクロックＡにより、ディジタル映像信号Ａに変換し、そのディジタル映像信号Ａを信号重畳部１６に出力する。また、同時に、Ａ／Ｄ変換部３４は、入力されたアナログ映像信号Ｂを、同期分離部３６から供給されるＨ同期信号Ｂ、Ｖ同期信号ＢおよびクロックＢにより、ディジタル映像信号Ｂに変換し、そのディジタル映像信号Ｂを信号重畳部１６に出力する。
【００５９】
ステップＳ６４において、信号重畳部１６は、ＣＰＵ１１の制御のもと、２つのディジタル映像信号Ａおよびディジタル映像信号Ｂを、一旦、メモリ３９に記憶する。そして、信号重畳部１６は、これらのディジタル映像信号を、メモリ３９上で、ＣＰＵ１１からの画面設定情報（例えば、各画面が表示される位置、サイズ、あるいは、表示画面の透過度を表すブレンド量など）に基づいて合成し、２画面表示のディジタル映像信号、または、重畳表示のディジタル映像信号を生成する。
【００６０】
図２のステップＳ６において、信号重畳部１６は、ステップＳ３乃至Ｓ５のいずれかにおいて処理されたディジタル映像信号を、出力端子４１に出力する。これにより、１画面表示、２画面表示または重畳表示の処理が施されたディジタル映像信号が、ＣＲＴやＬＣＤなどにより構成されるモニタに表示される。
【００６１】
以上のようにして、１画面表示する場合において、未使用の映像信号を無信号状態で入力し、その無信号状態の映像信号を用いて、表示（使用）する映像信号から、減算するようにしたので、外界からの電磁界ノイズ成分が検出され、表示画面上の電磁界ノイズが、簡単に低減される。これにより、高画質な映像が表示されるようになる。
【００６２】
上記説明においては、２系統のアナログ映像信号を２つのＡ／Ｄ変換部で処理するように説明したが、２つ以上であれば、複数系統のアナログ映像信号を複数のＡ／Ｄ変換部で処理するようにしてもよい。
【００６３】
また、上記説明においては、Ａ／Ｄ変換部３３およびＡ／Ｄ変換部３４をプリント基板上に互いに近接した場所に設置するようにしたが、Ａ／Ｄ変換部３３およびＡ／Ｄ変換部３４が、外界からの電磁界ノイズが信号レベルおよび信号位相とも十分な相関を持って入力されていれば、プリント基板上に互いに近接した場所に設置しなくてもよい。
【００６４】
さらに、本発明は、テレビジョン受信機だけに限らず、アナログ信号入力の表示装置、または、アナログ信号入力の記録装置などにも適用される。
【００６５】
以上においては、アナログ映像信号について説明したが、アナログオーディオ信号など、他のアナログ信号にも、本発明は適用される。例えば、ステレオ入力により左、右の２系統のアナログオーディオ信号を集音し、左のアナログオーディオ信号のみをモノラルで出力する場合においては、左のアナログオーディオ信号がディジタルオーディオ信号に変換され、無信号状態で入力された右のアナログオーディオ信号がディジタルオーディオ信号に変換され、左のディジタルオーディオ信号から、右のディジタルオーディオ信号（無信号状態）が減算されることにより、集音から出力までに発生する各種ノイズを低減するようにするようにしてもよい。
【００６６】
上述した一連の処理は、ハードウェアにより実行させることもできるが、ソフトウェアにより実行させることもできる。この場合、例えば、テレビジョン受信機１は、図６に示されるようなテレビジョン受信機６１により構成される。
【００６７】
図６において、ＣＰＵ（Ｃｅｎｔｒａｌ　Ｐｒｏｃｅｓｓｉｎｇ　Ｕｎｉｔ）７１は、ＲＯＭ（Ｒｅａｄ　Ｏｎｌｙ　Ｍｅｍｏｒｙ）７２に記憶されているプログラム、または、記憶部７８からＲＡＭ（Ｒａｎｄｏｍ　Ａｃｃｅｓｓ　Ｍｅｍｏｒｙ）７３にロードされたプログラムに従って各種の処理を実行する。ＲＡＭ７３にはまた、ＣＰＵ７１が各種の処理を実行する上において必要なデータなどが適宜記憶される。
【００６８】
ＣＰＵ７１、ＲＯＭ７２、およびＲＡＭ７３は、バス７４を介して相互に接続されている。このバス７４にはまた、入出力インタフェース７５も接続されている。
【００６９】
入出力インタフェース７５には、キーボード、マウスなどよりなる入力部７６、ＣＲＴ（Ｃａｔｈｏｄｅ　Ｒａｙ　Ｔｕｂｅ），ＬＣＤ（Ｌｉｑｕｉｄ　Ｃｒｙｓｔａｌ　Ｄｉｓｐｌａｙ）などよりなるディスプレイ、並びにスピーカなどよりなる出力部７７、ハードディスクなどより構成される記憶部７８、モデム、ターミナルアダプタなどより構成される通信部７９が接続されている。通信部７９は、図示しないネットワークを介しての通信処理を行う。
【００７０】
入出力インタフェース７５にはまた、必要に応じてドライブ８０が接続され、磁気ディスク８１、光ディスク８２、光磁気ディスク８３、或いは半導体メモリ８４などが適宜装着され、それから読み出されたコンピュータプログラムが、必要に応じて記憶部７８にインストールされる。
【００７１】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００７２】
この記録媒体は、図６に示すように、装置本体とは別に、ユーザにプログラムを提供するために配布される、プログラムが記録されている磁気ディスク８１（フレキシブルディスクを含む）、光ディスク８２（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク８３（ＭＤ（Ｍｉｎｉ−Ｄｉｓｋ）（商標）を含む）、もしくは半導体メモリ８４などよりなるパッケージメディアにより構成されるだけでなく、装置本体に予め組み込まれた状態でユーザに提供される、プログラムが記録されているＲＯＭ７２や、記憶部７８に含まれるハードディスクなどで構成される。
【００７３】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００７４】
【発明の効果】
以上の如く、本発明によれば、信号から電磁界ノイズを、簡単に低減できる。さらに、本発明によれば、高画質な映像が出力される。
【図面の簡単な説明】
【図１】本発明を適用したテレビジョン受像機の構成例を示すブロック図である。
【図２】図１のテレビジョン受像機の信号処理を説明するフローチャートである。
【図３】図２のステップＳ３のアナログ映像信号Ａの信号処理を説明するフローチャートである。
【図４】図２のステップＳ４のアナログ映像信号Ｂの信号処理を説明するフローチャートである。
【図５】図２のステップＳ５の２画面表示または重畳表示の信号処理を説明するフローチャートである。
【図６】図１のテレビジョン受像機の他の構成例を示す図である。
【符号の説明】
１　テレビジョン受像機，１１　ＣＰＵ，１５　入力部，１６　信号重畳部，２１，２２　入力端子，３１，３２　スイッチ，３３，３４　Ａ／Ｄ変換部，３５，３６　同期分離部，３７，３８　スイッチ，３９　メモリ，４１　出力端子
【図１】
2004015360.tif 000003
【図２】
2004015360.tif 000004
【図３】
2004015360.tif 000005
【図４】
2004015360.tif 000006
【図５】
2004015360.tif 000007
【図６】
2004015360.tif 000008